(57)【要約】    【課題】  遊技球の迅速な振り分けが可能であると共に、遊技球の慣性力その他の偶然性による振り分けの変化を期待できるようにする。    【解決手段】  通路方向に配置された案内部材４３〜４５と、この案内部材４３〜４５に沿って配置され且つ通路方向の軸心廻りに回転する回転体４６〜４８とにより、遊技球を通路方向の一端側から他端側へと一方向に転動させながら案内する転動通路３４〜３６を形成し、回転体４６〜４８の周方向の一部に、転動通路３４〜３６を転動中の遊技球と対応したときに、その遊技球を捕捉して回転体４６〜４８の回転によって転動通路３４〜３６から別の振り分け通路３７〜３９へと振り分ける球捕捉部５４〜５６を設けたものである。【選択図】    図４
2005319092.tif 000002
【特許請求の範囲】
【請求項１】
通路方向に配置された案内部材（４３）〜（４５）と、該案内部材（４３）〜（４５）に沿って配置され且つ通路方向の軸心廻りに回転する回転体（４６）〜（４８）とにより、遊技球を通路方向の一端側から他端側へと一方向に転動させながら案内する転動通路（３４）〜（３６）を形成し、前記回転体（４６）〜（４８）の周方向の一部に、前記転動通路（３４）〜（３６）を転動中の遊技球と対応したときに、その遊技球を捕捉して前記回転体（４６）〜（４８）の回転によって前記転動通路（３４）〜（３６）から別の振り分け通路（３７）〜（３９）へと振り分ける球捕捉部（５４）〜（５６）を設けたことを特徴とする弾球遊技機の球振り分け装置。
【請求項２】
前記球捕捉部（５４）〜（５６）が凹部であることを特徴とする請求項１に記載の弾球遊技機の球振り分け装置。
【請求項３】
前記球捕捉部（５４）〜（５６）に捕捉された遊技球が前記回転体（４６）〜（４８）上を超えて前記振り分け通路（３７）〜（３９）へと振り分けられるように、前記回転体（４６）〜（４８）をその軸心廻りに回転駆動する駆動手段（４９）〜（５１）を備えたことを特徴とする請求項１又は２に記載の弾球遊技機の球振り分け装置。
【請求項４】
前記球捕捉部（５４）〜（５６）が遊技球を掬い上げ可能であることを特徴とする請求項１〜３の何れかに記載の弾球遊技機の球振り分け装置。
【請求項５】
前記球捕捉部（５４）〜（５６）は前記案内部材（４３）〜（４５）と前記回転体（４６）〜（４８）との間から遊技球を落下させる形状であることを特徴とする請求項１又は２に記載の弾球遊技機の球振り分け装置。
【請求項６】
入賞ケース（２０）の前面側に視認窓（４０）〜（４２）を形成し、前側が前記案内部材（４３）〜（４５）、後側が前記回転体（４６）〜（４８）となるように、前記視認窓（４０）〜（４２）に対応して前記入賞ケース（２０）の内部に前記転動通路（３４）〜（３６）を左右方向に配置したことを特徴とする請求項１〜５の何れかに記載の弾球遊技機の球振り分け装置。
【請求項７】
前記入賞ケース（２０）内に、順次直列状に接続された複数の前記転動通路（３４）〜（３６）を上下にジグザグ状に配置し、前記各転動通路（３４）〜（３６）に対応してその後側に前記振り分け通路（３７）〜（３９）を配置したことを特徴とする請求項６に記載の弾球遊技機の球振り分け装置。
【発明の詳細な説明】
【技術分野】
【０００１】
本発明は、パチンコ機、アレンジボール機、雀球遊技機等に使用する弾球遊技機の球振り分け装置に関するものである。
【背景技術】
【０００２】
パチンコ機等の弾球遊技機には、遊技盤の遊技領域に、振り分け機能付きの入賞装置を配置し、この入賞装置に入賞した遊技球が何れの通路に振り分けられるかによって、その後の遊技状態が異なるようにしたものがある。
【０００３】
この種の振り分け機能付きの入賞装置には、従来、入賞ケースと、この入賞ケース内に前後方向の回転軸廻りに回転自在に配置された回転体とを備え、回転体の外周に、入賞ケースの入球口内の遊技球を受けて停留させる停留部を介して周方向に複数種類の入球凹部を設けると共に、入賞ケース側に各入球凹部に対応する複数の通路を設けたものがある（特許文献１）。
【特許文献１】特許第３２６１７５４号公報
【発明の開示】
【発明が解決しようとする課題】
【０００４】
従来の入賞装置は、入賞ケースの入球口内の遊技球を、その入賞ケース内で回転中の回転体の停留部により下側から受けて停留させておき、その停留部の次にある入球凹部が入球口に対応したときに入球口内の遊技球を入球凹部内に受け入れて、その遊技球を回転体の回転により回転方向に送りながら、その入球凹部が所定の通路に対応したときに入球凹部から通路へと遊技球を案内する。
【０００５】
このため回転体の入球凹部が入球口の下側を通過した直後に遊技球が入球口に入った場合には、回転体の停留部による遊技球の停留が必ずあり、また入球口から回転体の入球凹部に入球した後も、その回転体の回転速度で決まる速度で所定の通路へと振り分けられていくため、遊技球の入賞手段への入賞から所定の通路への遊技球の振り分けまでに時間を要する。このため、これを多段に接続して使用する場合には、最終の振り分けまでに時間がかかり過ぎる問題がある。
【０００６】
また入球口内に入った遊技球は、回転体の停留部で一旦停留した後、その停留部の次にある入球凹部で必ず捕捉して、その入球凹部に対応する通路へと振り分けていくため、入球口に遊技球が入ったときのタイミングによって、その遊技球が最終的に振り分けられるべき通路が画一的に決まってしまい、遊技球の慣性力の大小その他の各種の要因によって、遊技球の振り分けに変化を持たせることができない欠点がある。
【０００７】
従って、このような従来の振り分け機能付きの入賞装置では、遊技球の入賞から最終的な遊技球の振り分けまでに時間を要し迅速性に欠ける上、入賞時の慣性力その他の偶然性による振り分けの変化等を期待し難く、遊技者の興趣に欠けると言う問題がある。
【０００８】
本発明は、このような従来の課題に鑑み、遊技球の迅速な振り分けが可能であると共に、遊技球の慣性力その他の偶然性による振り分けの変化を期待できる弾球遊技機の球振り分け装置を提供することを目的とする。
【課題を解決するための手段】
【０００９】
本発明は、通路方向に配置された案内部材４３〜４５と、該案内部材４３〜４５に沿って配置され且つ通路方向の軸心廻りに回転する回転体４６〜４８とにより、遊技球を通路方向の一端側から他端側へと一方向に転動させながら案内する転動通路３４〜３６を形成し、前記回転体４６〜４８の周方向の一部に、前記転動通路３４〜３６を転動中の遊技球と対応したときに、その遊技球を捕捉して前記回転体４６〜４８の回転によって前記転動通路３４〜３６から別の振り分け通路３７〜３９へと振り分ける球捕捉部５４〜５６を設けたものである。
【００１０】
前記球捕捉部５４〜５６は凹部であっても良い。また前記球捕捉部５４〜５６に捕捉された遊技球が前記回転体４６〜４８上を超えて前記振り分け通路３７〜３９へと振り分けられるように、駆動手段４９〜５１により前記回転体４６〜４８をその軸心廻りに回転駆動する場合、前記球捕捉部５４〜５６に捕捉された遊技球が前記回転体４６〜４８上を超えて前記振り分け通路３７〜３９へと振り分けられるように回転させても良い。
【００１１】
前記球捕捉部５４〜５６は遊技球を掬い上げるようにしても良い。また前記球捕捉部５４〜５６は前記案内部材４３〜４５と前記回転体４６〜４８との間から遊技球を落下させる形状でも良い。
【００１２】
入賞ケース２０の前面側に視認窓４０〜４２を形成し、前側が前記案内部材４３〜４５、後側が前記回転体４６〜４８となるように、前記視認窓４０〜４２に対応して前記入賞ケース２０の内部に前記転動通路３４〜３６を左右方向に配置しても良い。前記入賞ケース２０内に、順次直列状に接続された複数の前記転動通路３４〜３６を上下にジグザグ状に配置し、前記各転動通路３４〜３６に対応してその後側に前記振り分け通路３７〜３９を配置しても良い。
【発明の効果】
【００１３】
本発明では、遊技球の迅速な振り分けが可能であると共に、遊技球の慣性力その他の偶然性による振り分けの変化を期待できる利点がある。
【発明を実施するための最良の形態】
【００１４】
以下、本発明の各実施例を図面に基づいて詳述する。図１〜図１２は本発明をパチンコ機に採用した場合の第１の実施例を示す。
【００１５】
図１において、１は遊技機本体で、開閉自在に枢着された前枠２を有する。前枠２には、遊技盤３が裏側から着脱自在に装着され、この遊技盤３の前側にガラス扉４と前面板５とが開閉自在に配置されている。前面板５には発射用の遊技球を貯留する上皿６が設けられ、また前枠２の下部には、余剰球を貯留する下皿７と、発射手段８の発射ハンドル９とが夫々設けられている。
【００１６】
遊技盤３には、図２に示すようにガイドレール１０が環状に装着されると共に、このガイドレール１０の内側の遊技領域１１に図柄始動手段１２、図柄表示手段１３、振り分け入賞手段１４、始動入賞手段１５、特定入賞手段１６、大入賞手段１７、普通入賞手段１９等の遊技部品が配置されている。
【００１７】
図柄表示手段１３は３個の図柄を変動表示可能であり、図柄始動手段１２の遊技球の検出によりその３個の図柄が所定時間変動する。振り分け入賞手段１４は、後述するように、遊技盤３に装着された入賞ケース２０と、この入賞ケース２０の上部に配置された開閉手段２１と、入賞ケース２０の内部にジグザグ状に組み込まれた多段式の振り分け手段２８とを備え、開閉手段２１から入賞した遊技球を遊技盤３の前後の何れかに振り分けるようになっている。
【００１８】
始動入賞手段１５は、振り分け入賞手段１４により遊技盤３の前側に振り分けられた遊技球が入賞し易くなるように、その振り分け入賞手段１４の下側に配置されている。特定入賞手段１６は、始動入賞手段１５に遊技球が入賞したときに有効になり、この特定入賞手段１６に遊技球が入賞したときに大入賞手段１７の開閉板１７ａが前側へと開放するようになっている。
【００１９】
振り分け入賞手段１４は、図３〜図１２に示すように構成されている。即ち、入賞ケース２０は、遊技盤３の開口の前面に装着された取り付けケース体２２と、この取り付けケース体２２の前面に接合された装飾ケース体２３と、取り付けケース体２２の裏側に順次接合された前ケース体２４、中ケース体２５、後ケース体２６及び裏カバー２７とを備えている。
【００２０】
開閉手段２１は前後方向の支軸廻りに揺動自在な左右一対の開閉体２１ａと、この各開閉体２１ａを支軸廻りに開閉駆動するソレノイド等の駆動手段２９とを備えたチューリップ式であり、入賞ケース２０の上部中央で取り付けケース体２２と装飾ケース体２３との間に形成された入賞口３０を開閉可能である。駆動手段２９は取り付けケース体２２の裏側に固定されている。入賞口３０の下部には、この入賞口３０に入賞した遊技球を検出する入賞検出スイッチ３１が設けられている。
【００２１】
取り付けケース体２２は中央部分に窓孔を有する枠状であり、その枠部分の前面側を装飾するように装飾ケース体２３が接合されている。前ケース体２４は取り付けケース体２２の窓孔の下部から上側に対応する前板３２を備え、また前板３２の下側で取り付けケース体２２内に、前側に傾斜する前ステージ３３が左右方向に設けられている。
【００２２】
前ケース体２４の裏側には、順次直列状に接続された上下方向に複数の第１〜第３転動通路３４〜３６をジグザグ状に備えると共に、その各転動通路３４〜３６に対応して別の第１〜第３振り分け通路３７〜３９を備えた多段式の振り分け手段２８が設けられている。
【００２３】
そして前ケース体２４の前板３２には、第１〜第３転動通路３４〜３６上を転動する遊技球の転動状況、振り分け状況等を前側から視認できるように、第１〜第３転動通路３４〜３６に対応して横長矩形状の第１〜第３視認窓４０〜４２が上下方向に複数開設されている。なお、この実施例では転動通路３４〜３６、振り分け通路３７〜３９、視認窓４０〜４２は上下方向に３組設けられているが、１組でも良いし、４組以上でも良い。
【００２４】
第１〜第３転動通路３４〜３６は左右方向（通路方向）に配置された第１〜第３案内部材４３〜４５と、この第１〜第３案内部材４３〜４５に沿って配置され且つ通路方向の軸心廻りに回転する第１〜第３回転体４６〜４８とを備え、これらの第１〜第３案内部材４３〜４５と第１〜第３回転体４６〜４８とにより遊技球を下側から支えて、その遊技球を左右方向の一端側から他端側へと一方向に転動させながら案内するように、前ケース体２４と中ケース体２５との間に傾斜状に設けられている。
【００２５】
第１〜第３案内部材４３〜４５は前板３２の視認窓４０〜４２の下縁裏側に一体に形成されている。第１〜第３回転体４６〜４８は後述の球捕捉部を除く外周側が直円筒状で、第１〜第３案内部材４３〜４５の裏側に沿って略平行に配置されており、その回転軸４６ａ〜４８ａの左右両端が前ケース体２４と中ケース体２５とに一体に形成された軸保持部２５ａ，２６ａにより前後両側から傾斜軸心廻りに回転自在に挟持されている。なお、第１〜第３案内部材４３〜４５と第１〜第３回転体４６〜４８は、第１〜第３案内部材４３〜４５が前側となり第１〜第３回転体４６〜４８が後側となって、略平行に配置されている。
【００２６】
回転軸４６ａ〜４８ａの一端側（上流側）にはこれを駆動する駆動手段、例えば第１〜第３駆動モータ４９〜５１が設けられ、他端側に位置検出用の突起を有する円板５２が設けられている。第１〜第３駆動モータ４９〜５１はギヤー列４９ａ〜５１ａを介して第１〜第３回転体４６〜４８を駆動するように、支持ブラケット４９ｂ〜５１ｂにより後ケース体２６の裏側に着脱自在に装着され、裏カバー２７により覆われている。なお、駆動モータ４９〜５１、ギヤー列４９ａ〜５１ａは支持ブラケット４９ｂ〜５１ｂにユニット状に組み付けれている。後ケース体２６には、円板５２の突起を介して第１〜第３回転体４６〜４８の回転を検出する回転検出手段５３が設けられている。
【００２７】
第１〜第３回転体４６〜４８の軸心方向の途中の外周には、第１〜第３転動通路３４〜３６上を転動中の遊技球が対応したときに、その遊技球を捕捉して第１〜第３転動通路３４〜３６から第１〜第３振り分け通路３７〜３９へと振り分ける第１〜第３球捕捉部５４〜５６が設けられている。
【００２８】
この球捕捉部５４〜５６は各回転体４６〜４８の外周の周方向の一部に形成された凹部により構成され、回転体４６〜４８の軸心方向及び周方向に位置を変えて複数、例えば２個設けられている。そして、各回転体４６〜４８は球捕捉部５４〜５６に捕捉された遊技球が回転体４６〜４８の上側を超えて振り分け通路３７〜３９側へと振り分けられるように、駆動モータ４９〜５１により、遊技球を支持する転動側において球捕捉部５４〜５６が外向き（後向き）に回転する方向に駆動されている。なお、回転体４６〜４８の下流側には、遊技球の転動速度を減速させる抵抗部５４ａ〜５６ａが凹入状に設けられている。
【００２９】
第１転動通路３４の上流側は接続通路５７を介して入賞口３０に、また下流側は接続通路５８を介して第２転動通路３５の上流側に夫々接続されている。第３転動通路３６の上流側は接続通路５９を介して第２転動通路３５の下流側に接続され、また下流側は接続通路６０を介して傾斜ステージ３３の中央上部側に開口している。
【００３０】
接続通路５７は入賞口３０の下端から装飾ケース体２３、取り付けケース体２２、前ケース体２４及び中ケース体２５に跨がって入賞ケース２０の上部に後向きに形成された後向き通路５７ａと、中ケース体２５の裏側で後向き通路５７ａの後端から左右方向の一方側へと形成された外向き通路５７ｂと、外向き通路５７ｂの端部から前向きに形成された前向きシュート５７ｃとを備え、入賞口３０から入賞した遊技球を前向きシュート５７ｃから第１転動通路３４の上流側端部上へと案内するようになっている。
【００３１】
接続通路５８は中ケース体２５の裏側に形成された落下通路５８ａと、第１転動通路３４の下流端側から落下通路５８ａへと後向きに形成された後向きシュート５８ｂと、落下通路５８ａの下端から第２転動通路３５の上流側端部上へと前向きに形成された前向きシュート５８ｃとを備え、第１転動通路３４を通過した遊技球を第２転動通路３５の上流側端部上へと案内するようになっている。接続通路５９も同様に構成されている。
【００３２】
接続通路６０は中ケース体２５の裏側に形成された落下通路６０ａと、第３転動通路３６の下流端側から落下通路６０ａへと後向きに形成された後向きシュート６０ｂと、落下通路６０ａの下端から左右方向の中央側に形成された内向き通路６０ｃと、内向き通路６０ｃの内端から前向きに形成された落下シュート６０ｄとを備え、第３転動通路３６を通過した遊技球を落下シュート６０ｄから前ステージ３３側の左右略中央へと落下させるようになっている。
【００３３】
前ステージ３３側の左右略中央には、落下シュート６０ｄから落下する遊技球を変化させるための板状の可動体６３が上下に出退自在に設けられている。この可動体６３は前ステージ３３と略平行に傾斜して突出する一対の傾斜凸部６４間に前後及び上下方向に摺動自在に配置され、駆動手段、例えば駆動モータ６５によりカム６６を介して前後方向に往復駆動されている。
【００３４】
可動体６３の上端は傾斜凸部６４と略平行で且つ左右方向の中央が高くなる円弧状に形成され、またその下端の支持板６７は前ステージ３３よりも急勾配の傾斜案内面を有し前ステージ３３の下部に固定された傾斜案内体６８により前後方向に摺動自在に支持されている。駆動モータ６５は中ケース体２５の下端部に固定され、この駆動モータ６５から前側に突出する駆動軸６５ａにカム６６が固定されている。カム６６は支持板６７に形成された開口６７ａに嵌合し、その支持板６７側のカム従動部６７ｂがカム６６に後側から当接している。
【００３５】
前ステージ３３の前側には、遊技球を遊技盤３の前側で始動入賞手段１５側へと遊技球を落下させる落下口６９が落下シュート６０ｄ、可動体６３に対応して左右方向の略中央に、遊技球を遊技盤３の裏側へと案内する裏案内通路７０が落下口６９の左右両側に夫々設けられている。
【００３６】
中ケース体２５と後ケース体２６との間には、各振り分け通路３７〜３９側へと振り分けられた遊技球を遊技盤３の裏側へと排出する排出通路７１が上下方向に設けられている。この排出通路７１の下端部側には駆動モータ６５を迂回するように湾曲通路部があり、その下端は中ケース体２５から遊技盤３側に向かって前側に開口している。
【００３７】
遊技に際しては、発射手段８の発射ハンドル９を操作して、発射手段８により遊技球をガイドレール１０に沿って順次遊技盤３側に発射させる。すると遊技盤３の上部側に発射された遊技球は、遊技盤３の遊技領域１１に入った後、その盤面に沿って落下する。そして、図柄始動手段１２が遊技球を検出すると、図柄表示手段１３の図柄が所定時間変動して当たり図柄又は外れ図柄で停止する。
【００３８】
図柄表示手段１３の変動後の停止図柄が当たり図柄となると、開閉手段２１が開放する。そして、開閉手段２１から入賞口３０に遊技球が入賞すると、その遊技球は入賞検出スイッチ３１で検出された後、入賞ケース２０内の多段式の振り分け手段２８へと進入し、この振り分け手段２８において各転動通路３４〜３６から振り分け通路３７〜３９へと振り分けられるか、又は次の転動通路３５，３６へと通過する等して、遊技盤３の裏側へと落下するか、又は落下口６９から始動入賞手段１５上へと落下する。そして、始動入賞手段１５に遊技球が入賞すると、特定入賞手段１６が有効となり、この特定入賞手段１６に遊技球が入賞することによって大入賞手段１７が開放する。
【００３９】
振り分け入賞手段１４においては、通常、各転動通路３４〜３６の回転体４６〜４８が駆動モータ４９〜５１の駆動によりＡ矢示方向に回転しており、また可動体６３が駆動モータ６５の駆動により上下動している。前向きシュート５７ｃから第１転動通路３４の上流側端部に遊技球が案内されると、その遊技球は第１転動通路３４の第１案内部材４３と第１回転体４６との上に落下し、その両者により支持されて下流側へと転動していく。
【００４０】
そして、第１転動通路３４上を転動中の遊技球が第１球捕捉部５４に対応すると、第１球捕捉部５４がその遊技球を捕捉して第１回転体４６の回転により第１振り分け通路３７へと振り分ける。第１転動通路３４上を転動中の遊技球が２個の第１球捕捉部５４の何れとも対応しない場合には、その遊技球は第１案内部材４３と第１回転体４６との上を転動しながら第１転動通路３４上を下流側へと通過する。
【００４１】
即ち、第１転動通路３４において、第１回転体４６の第１球捕捉部５４が第１案内部材４３側に向いて上向き状態になったときに、その第１球捕捉部５４上に遊技球が到達すると、図１２（ａ）に示すように、その遊技球は第１球捕捉部５４に捕捉されて移動を停止する。そして、その後に第１回転体４６がＡ矢示方向に回転すると、その遊技球は図１２（ｂ）に示すようにその回転により持ち上げられて第１球捕捉部５４上に乗った後、図１２（ｃ）及び（ｄ）に示す状態を経て第１振り分け通路３７へと振り分けられ、排出通路７１を落下して遊技盤３の裏側へと排出されていく。
【００４２】
第１転動通路３４を通過した遊技球は接続通路５８を経て第２転動通路３５の上流側端部へと案内され、以下同様に第２転動通路３５、第３転動通路３６でも同様のことが行われる。そして、第３転動通路３６を通過した遊技球は、接続通路６０を経て落下シュート６０ｄへと案内され、この落下シュート６０ｄから前側へと落下する。
【００４３】
落下シュート６０ｄの下側では、駆動モータ６５によりカム６６を介して前後に駆動される可動体６３が傾斜案内体６８に沿って上下動している。そして、可動体６３の上昇時に落下シュート６０ｄからの遊技球が落下すれば、その遊技球は可動体６３によって左右の何れかへと案内され、前ステージ３３から裏案内通路７０を経て遊技盤３の裏側へと案内され、また可動体６３の下降時に落下シュート６０ｄからの遊技球が落下すれば、その遊技球は可動体６３、傾斜凸部６４等によって落下口６９へと案内されて遊技盤３の前側に落下する。
【００４４】
このように左右方向の案内部材４３〜４５と、この案内部材４３〜４５に沿って配置され且つ左右方向の軸心廻りに回転する回転体４６〜４８とにより、遊技球を左右方向の一端側から他端側へと一方向に転動させながら案内する転動通路３４〜３６を形成し、その回転体４６〜４８の周方向の一部に、転動通路３４〜３６を転動中の遊技球と対応したときに、その遊技球を捕捉して回転体４６〜４８の回転によって転動通路３４〜３６から別の振り分け通路３７〜３９へと振り分ける球捕捉部５４〜５６を設けているので、従来の振り分け手段に比較して遊技球の迅速な振り分けが可能であると共に、遊技球の慣性力その他の偶然性による振り分けの変化を期待できる。
【００４５】
また  転動通路３４〜３６の前側には視認窓４０〜４２があるため、遊技者は転動通路３４〜３６上での遊技球の転動状況、遊技球の振り分け状況を容易に確認できる。特に前ケース体２４の視認窓４０〜４２の下縁後部側に案内部材４３〜４５があり、その後側に回転体４６〜４８があるため、その遊技球の確認が非常に容易である。
【００４６】
しかも球捕捉部５４〜５６は遊技球を捕捉して回転体４６〜４８の回転により振り分け通路３７〜３９へと案内できれば良いが、その球捕捉部５４〜５６を凹部とすることによって、回転体４６〜４８自体の構造を簡単にできる。更に球捕捉部５４〜５６に捕捉された遊技球を、回転体４６〜４８上を超えて振り分け通路３７〜３９へと振り分けることにより、遊技球の振り分け状況の確認も容易にできる。
【００４７】
図１３は本発明の第２の実施例を例示する。図１３（ａ）は回転体４６の外周に球捕捉部５４を形成するに当たり、軸心方向と直交する断面において、その一端側を球面状の凹入面５４ｅとし、他端側を平坦面５４ｂとしたものである。図１３（ｂ）は案内部材４３に、遊技球を回転体４６側へと案内する傾斜面４３ａを設け、回転体４６の球捕捉部５４を、遊技球が入る球面状の凹入面としたものである。これらの場合には、球捕捉部５４で捕捉した遊技球を回転体４６の回転によって掬い上げながら、回転体４６上を経て振り分け通路３７に振り分けるようにしている。
【００４８】
図１４は本発明の第３の実施例を例示する。図１４（ａ）は球捕捉部５４の軸心方向の両端に角部５４ｃを形成したものであり、図１４（ｂ）は球捕捉部５４の軸心方向の両端に曲面部５４ｄを形成したものである。各球捕捉部５４は軸心方向と直交する断面では平坦面となっている。
【００４９】
図１５は本発明の第４の実施例を例示し、この実施例では案内部材４３の案内面に沿って凹凸部を設けて、その凹凸部の形状により転動通路３４上の遊技球がゆらゆらと揺らぎながら移動するようにしている。即ち、図１５（ａ）は回転体４６の各球捕捉部５４に対応して凹入部９０ができるように、案内部材４３の案内面を曲面状の凹凸形状にしたものである。図１５（ｂ）は案内部材４３の案内面を屈曲状に形成し、凹入部９０の下流側の傾斜面９０ａの傾斜角度を上流側の傾斜面９０ｂの傾斜角度よりも大にしたものである。
【００５０】
図１６は本発明の第５の実施例を例示する。回転体４６はその後側の中ケース体２５の振り分け通路３７の上側を案内部材４３とし、この案内部材４３の前側に、内向きに回転する回転体４６を配置して、転動通路３４上を転動中の遊技球に球捕捉部５４が対応したときに、（ａ）〜（ｄ）に示すように球捕捉部５４で遊技球を捕捉してその移動を止め、回転体４６の回転によって、回転体４６と案内部材４３との間から振り分け通路３７へと落下させるようにしたものである。前ケース体２４の前板３２の裏側には、回転体４６との上に遊技球が乗らないように邪魔板９３を設けている。なお、回転体４６の回転方向を逆にすれば、第１の実施例と同様に前ケース体２４に案内部材４３を設けても良い。
【００５１】
以上、本発明の各実施例について詳述したが、本発明は各実施例に限定されるものではない。例えば、入賞ケース２０の中央に開口窓を設け、この開口窓の左右両側と後側との三方に、順次直列状に接続された転動通路３４〜３６を設けても良い。この場合、左右の転動通路３４〜３６は前後方向に配置されることになる。回転体４６〜４８にその軸心方向に所定の間隔をおいて複数の球捕捉部５４〜５６を設ける場合に、その各球捕捉部５４〜５６に対応して複数の振り分け通路３７〜３９を設けても良い。
【００５２】
複数の回転体４６〜４８に対して共通な駆動手段を１個設け、この駆動手段により各回転体４６〜４８を駆動するようにしても良い。球捕捉部５４〜５６は磁石により構成しても良い。但し、球捕捉部５４〜５６を磁石式とした場合には、捕捉後の遊技球が振り分け通路３７〜３９側に移動したときに、その遊技球に突起が接触して磁石による遊技球の吸着を解除する等、遊技球の吸着を解除する適宜解除手段を設ける必要がある。
【００５３】
また球捕捉部５４〜５６は回転体４６〜４８に形成された貫通孔により構成し、球捕捉部５４〜５６が遊技球に対応したときにその遊技球を捕捉して、球捕捉部５４〜５６を経て遊技球を振り分け通路３７〜３９へと下方又は後方等の所定方向に案内するようにしても良い。
【００５４】
複数の転動通路３４〜３６を直列状に接続してなる球振り分け装置の場合に、遊技球が何れかの振り分け通路３７〜３９又は特定の１若しくは複数の振り分け通路３７〜３９に振り分けられたときに当たりとなるゲーム構成を採用しても良い。
【図面の簡単な説明】
【００５５】
【図１】本発明の第１の実施例を示す弾球遊技機の正面図である。
【図２】本発明の第１の実施例を示す遊技盤の正面図である。
【図３】本発明の第１の実施例を示す振り分け入賞手段の正面図である。
【図４】本発明の第１の実施例を示す振り分け入賞手段の正面断面図である。
【図５】本発明の第１の実施例を示す図４のＸ−Ｘ線断面図である。
【図６】本発明の第１の実施例を示す図４のＹ−Ｙ線断面図である。
【図７】本発明の第１の実施例を示す中ケース体から後側の正面図である。
【図８】本発明の第１の実施例を示す振り分け入賞手段の中間部の平面断面図である。
【図９】本発明の第１の実施例を示す振り分け入賞手段の中間部の平面断面図である。
【図１０】本発明の第１の実施例を示す振り分け入賞手段の下部の平面断面図である。
【図１１】本発明の第１の実施例を示す可動体等の分解斜視図である。
【図１２】本発明の第１の実施例を示す振り分け動作説明図である。
【図１３】本発明の第２の実施例を示す要部の断面図である。
【図１４】本発明の第３の実施例を示す要部の概略図である。
【図１５】本発明の第４の実施例を示す転動通路の平面断面図である。
【図１６】本発明の第５の実施例を示す要部の断面図である。
【符号の説明】
【００５６】
２０  入賞ケース
３４〜３６  転動通路
３７〜３９  振り分け通路
４０〜４２  視認窓
４３〜４５  案内部材
４６〜４８  回転体
５４〜５６  球捕捉部
４９〜５１  駆動手段
【図１】
2005319092.tif 000003
【図２】
2005319092.tif 000004
【図３】
2005319092.tif 000005
【図４】
2005319092.tif 000006
【図５】
2005319092.tif 000007
【図６】
2005319092.tif 000008
【図７】
2005319092.tif 000009
【図８】
2005319092.tif 000010
【図９】
2005319092.tif 000011
【図１０】
2005319092.tif 000012
【図１１】
2005319092.tif 000013
【図１２】
2005319092.tif 000014
【図１３】
2005319092.tif 000015
【図１４】
2005319092.tif 000016
【図１５】
2005319092.tif 000017
【図１６】
2005319092.tif 000018